(57)【特許請求の範囲】
【請求項１】
像保持体と、
前記像保持体の軸線方向に沿って配置され、当該像保持体を露光する露光部と、当該露光部の当該軸線方向の一端側に設けられた第１位置決め部材と、当該露光部の当該軸線方向の他端側に設けられた第２位置決め部材とを有する露光部材と、
前記軸線方向および前記露光部の光軸方向の両者に直交する直交方向の上流側と下流側とから前記第１位置決め部材を挟み込むことで、前記一端側における前記露光部材の当該直交方向への移動を規制する第１規制部材と、
前記直交方向の上流側と下流側とから前記第２位置決め部材を挟み込むことで、前記他端側における前記露光部材の当該直交方向への移動を規制する第２規制部材と、
前記軸線方向において前記第１位置決め部材の径よりも大きな間隙を有するとともに、当該間隙を当該第１位置決め部材が通過するように配置され、前記露光部材の当該軸線方向への移動を規制する第３規制部材と、
前記第１規制部材と前記第２規制部材とによって前記露光部材の前記直交方向への移動を規制し且つ前記第３規制部材によって当該露光部材の前記軸線方向への移動を規制した状態で、前記光軸方向に当該露光部材を移動させて前記露光部を前記像保持体に対して所定の露光位置に位置決めし、当該光軸方向とは逆方向に当該露光部材を移動させて当該露光部を当該露光位置から退避させる進退機構と
を備え、
前記露光部材は、前記露光部の前記軸線方向の前記一端側において前記第１位置決め部材と並べて配置され且つ前記光軸方向に沿って突出する第１突出部材と、当該露光部の当該軸線方向の前記他端側において前記第２位置決め部材と並べて配置され且つ当該光軸方向に沿って突出する第２突出部材とをさらに備え、
前記像保持体の前記軸線方向の一端側には前記第１突出部材に対向して配置される第１対向部材が設けられるとともに、当該像保持体の当該軸線方向の他端側には前記第２突出部材に対向して配置される第２対向部材が設けられ、
前記進退機構は、前記露光部材を前記露光位置に移動させる際に、前記第１突出部材が前記第１対向部材に向かい且つ前記第２突出部材が前記第２対向部材に向かうように、当該露光部材を前記光軸方向に押すことを特徴とする画像形成装置。
【請求項２】
前記第１規制部材は、前記第１位置決め部材に対し前記直交方向への押し付けを行い、
前記第２規制部材は、前記第２位置決め部材に対し前記直交方向への押し付けを行い、
前記第３規制部材は、前記第１位置決め部材に対し前記軸線方向への押し付けを行わないこと
を特徴とする請求項１記載の画像形成装置。
【請求項３】
前記第１突出部材が前記露光部に電気的に接続され、当該露光部が当該第１突出部材を介して接地されることを特徴とする請求項１記載の画像形成装置。
【請求項４】
前記像保持体が取り付けられ、前記画像形成装置の本体に対して前記軸線方向の一端側から他端側に向けて差し込まれる像保持体モジュールをさらに含み、
前記第１規制部材が前記像保持体モジュールに取り付けられ、前記第２規制部材が前記本体に取り付けられ、前記第３規制部材が前記進退機構に取り付けられること
を特徴とする請求項１乃至３のいずれか１項記載の画像形成装置。
【発明の詳細な説明】
【技術分野】
【０００１】
本発明は、例えばプリンタや複写機等の画像形成装置に関する。
【背景技術】
【０００２】
電子写真方式を用いたプリンタや複写機等の画像形成装置において、感光体ドラム等の像保持体上を露光する露光部材として、近年、ＬＥＤ（Light Emitting Diode）等の発光素子をライン状に配列した発光素子アレイを用いたものが提案されている。
このような画像形成装置では、露光部材の光軸方向、像保持体の軸線方向である主走査方向、および光軸方向および軸線方向の双方に直交する副走査方向において、像保持体に対し露光部材を位置決めすることが要請される。
特許文献１には、露光部材の主走査方向位置および副走査方向位置を、それぞれ所定の部材によって露光部材を押し付けることで位置決めし、さらに、像保持体に対し露光部材を光軸方向に進退させる進退機構を用いて像保持体に露光部材を押し付けることで、露光部材の光軸方向位置の位置決めを行う技術が記載されている。
【０００３】
【特許文献１】特開２００６−２６３９８５号公報
【発明の開示】
【発明が解決しようとする課題】
【０００４】
ところで、主走査方向および副走査方向の２方向に対しそれぞれ押し付けを行うことによって露光部材を位置決めした場合、これら両方向に対する押し付け力が、露光部材を像保持体に押し付けて光軸方向の位置決めを行う際の抵抗力となる。そして、このような抵抗力を受けながら露光部材を光軸方向に移動させた場合、像保持体に対する露光部材の押し付けが不十分となり、露光部材が本来設定されるべき光軸方向の位置からずれた状態で位置決めされてしまい、形成される画像に像ぼけが生ずるおそれがあった。
本発明は、形成される画像の像ぼけを抑制することを目的とする。
【課題を解決するための手段】
【０００５】
請求項１記載の発明は、像保持体と、前記像保持体の軸線方向に沿って配置され、当該像保持体を露光する露光部と、当該露光部の当該軸線方向の一端側に設けられた第１位置決め部材と、当該露光部の当該軸線方向の他端側に設けられた第２位置決め部材とを有する露光部材と、前記軸線方向および前記露光部の光軸方向の両者に直交する直交方向の上流側と下流側とから前記第１位置決め部材を挟み込むことで、前記一端側における前記露光部材の当該直交方向への移動を規制する第１規制部材と、
前記直交方向の上流側と下流側とから前記第２位置決め部材を挟み込むことで、前記他端側における前記露光部材の当該直交方向への移動を規制する第２規制部材と、
前記軸線方向において前記第１位置決め部材の径よりも大きな間隙を有するとともに、当該間隙を当該第１位置決め部材が通過するように配置され、前記露光部材の当該軸線方向への移動を規制する第３規制部材と、前記第１規制部材と前記第２規制部材とによって前記露光部材の前記直交方向への移動を規制し且つ前記第３規制部材によって当該露光部材の前記軸線方向への移動を規制した状態で、前記光軸方向に当該露光部材を移動させて前記露光部を前記像保持体に対して所定の露光位置に位置決めし、当該光軸方向とは逆方向に当該露光部材を移動させて当該露光部を当該露光位置から退避させる進退機構とを備え、前記露光部材は、前記露光部の前記軸線方向の前記一端側において前記第１位置決め部材と並べて配置され且つ前記光軸方向に沿って突出する第１突出部材と、当該露光部の当該軸線方向の前記他端側において前記第２位置決め部材と並べて配置され且つ当該光軸方向に沿って突出する第２突出部材とをさらに備え、前記像保持体の前記軸線方向の一端側には前記第１突出部材に対向して配置される第１対向部材が設けられるとともに、当該像保持体の当該軸線方向の他端側には前記第２突出部材に対向して配置される第２対向部材が設けられ、
前記進退機構は、前記露光部材を前記露光位置に移動させる際に、前記第１突出部材が前記第１対向部材に向かい且つ前記第２突出部材が前記第２対向部材に向かうように、当該露光部材を前記光軸方向に押すことを特徴とする画像形成装置である。
請求項２記載の発明は、前記第１規制部材は、前記第１位置決め部材に対し前記直交方向への押し付けを行い、前記第２規制部材は、前記第２位置決め部材に対し前記直交方向への押し付けを行い、前記第３規制部材は、前記第１位置決め部材に対し前記軸線方向への押し付けを行わないことを特徴とする請求項１記載の画像形成装置である。
請求項３記載の発明は、前記第１突出部材が前記露光部に電気的に接続され、当該露光部が当該第１突出部材を介して接地されることを特徴とする請求項１記載の画像形成装置である。
請求項４記載の発明は、前記像保持体が取り付けられ、前記画像形成装置の本体に対して前記軸線方向の一端側から他端側に向けて差し込まれる像保持体モジュールをさらに含み、前記第１規制部材が前記像保持体モジュールに取り付けられ、前記第２規制部材が前記本体に取り付けられ、前記第３規制部材が前記進退機構に取り付けられることを特徴とする請求項１乃至３のいずれか１項記載の画像形成装置である。
【発明の効果】
【０００７】
請求項１記載の発明によれば、本構成を採用しない場合と比較して、光軸方向における像保持体に対する露光部材の位置決めを良好に行うことができるとともに、露光部材の光軸方向のたわみを抑制することができ、形成される画像の像ぼけを抑制することができる。
請求項２記載の発明によれば、本構成を採用しない場合と比較して、露光部材を光軸方向に沿って移動させる際の抵抗をより少なくすることができる。
請求項３記載の発明によれば、本構成を採用しない場合と比較して、小型化を図りながら露光部の接地を行うことができる。
請求項４記載の発明によれば、本構成を採用しない場合と比較して、軸線方向の一端側および他端側における像保持体に対する露光部材の位置決めを良好に行うことができ、形成される画像のスキューおよび直交方向の位置ずれを抑制することができるとともに、他端側において生じやすくなる画像の直交方向の伸縮を抑制することができる。
【発明を実施するための最良の形態】
【０００８】
以下、添付図面を参照して、本発明の実施の形態について詳細に説明する。
図１は、本実施の形態が適用される画像形成装置１の全体構成の一例を示した図である。同図に示す画像形成装置１は、所謂タンデム型のカラープリンタであり、各色の画像データに対応して画像形成を行う画像形成プロセス部１０、画像形成装置１全体の動作を制御する制御部３０、例えばパーソナルコンピュータ（ＰＣ）３や画像読取装置４等といった外部装置に接続され、これらから受信された画像データに対して所定の画像処理を施す画像処理部３５、各部に電力を供給する主電源３６を備えている。
【０００９】
画像形成プロセス部１０には、一定の間隔を置いて並列的に配置される４つの画像形成ユニット１１Ｙ、１１Ｍ、１１Ｃ、１１Ｋ（以下、総称して単に「画像形成ユニット１１」とも称する）が備えられている。各画像形成ユニット１１は、回転可能に配置され静電潜像を形成してトナー像を保持する感光体ドラム１２、感光体ドラム１２の表面を所定電位で一様に帯電する帯電器１３、帯電器１３によって帯電された感光体ドラム１２を画像データに基づいて露光するＬＥＤプリントヘッド（ＬＰＨ）１４、感光体ドラム１２上に形成された静電潜像を現像する現像器１５、転写後の感光体ドラム１２表面を清掃するクリーナ１６を備えている。なお、本実施の形態における感光体ドラム１２は、不図示の回転軸を備え、その軸方向が画像形成装置１のフロント側（図中手前側）からリア側（図中奥側）に向くように配置されている。
【００１０】
さらに、各画像形成ユニット１１は、ＬＰＨ１４を、感光体ドラム１２を露光する所定位置（以下、「露光位置」とも称する）まで進出させ、また、ＬＰＨ１４を、この所定位置よりも感光体ドラム１２から離隔した（離れた）位置（以下、「退避位置」とも称する）に退避させる進退手段の一例としての進退機構１７を備えている。ここで、各画像形成ユニット１１は、現像器１５に収納されるトナーを除いて、略同様に構成されている。そして、各画像形成ユニット１１は、それぞれがイエロー（Ｙ）、マゼンタ（Ｍ）、シアン（Ｃ）、黒（Ｋ）のトナー像を形成する。
【００１１】
さらに、画像形成プロセス部１０は、各画像形成ユニット１１の感光体ドラム１２にて形成された各色トナー像が多重転写される中間転写ベルト２０、各画像形成ユニット１１による各色トナー像を中間転写ベルト２０に順次転写させる一次転写ロール２１、中間転写ベルト２０上に転写された重畳トナー像を記録材である用紙に一括転写させる二次転写ロール２２、二次転写された画像を用紙上に定着させる定着器４５を備えている。
【００１２】
ここで、各画像形成ユニット１１において、感光体ドラム１２、帯電器１３およびクリーナ１６は、一体化されたモジュール（以下、感光体モジュールＰＭと称する：後述する図５を参照）として構成されている。そして、感光体モジュールＰＭは画像形成装置１に対して着脱自在に構成され、感光体ドラム１２の寿命等に応じて交換可能である。なお、感光体モジュールＰＭは、帯電器１３やクリーナ１６を含まない感光体ドラム１２のみの構成を採用してもよいし、帯電器１３やクリーナ１６に加えさらに現像器１５を一体化した構成を採用してもよい。すなわち、寿命が他の構成要素と比較して短い感光体ドラム１２を含んだものであれば、如何なる構成要素との組み合わせによっても感光体モジュールＰＭを構成することができるが、本実施の形態では、感光体モジュールＰＭとＬＰＨ１４とを別体とした構成を前提としている。
また、各画像形成ユニット１１において、ＬＰＨ１４および進退機構１７も、一体化されたモジュール（以下、露光モジュールＥＭと称する：後述する図５を参照）として構成されている。そして、この露光モジュールＥＭも画像形成装置１に対して着脱自在に構成されている。なお、これら感光体モジュールＰＭおよび露光モジュールＥＭの詳細な構成については後述する。
【００１３】
この画像形成装置１において、画像形成プロセス部１０は、制御部３０から供給される各種の制御信号に基づいて画像形成動作を行う。すなわち、制御部３０による制御の下で、ＰＣ３や画像読取装置４から入力された画像データは、画像処理部３５によって画像処理が施され、不図示のインターフェースを介して各画像形成ユニット１１に供給される。そして、例えば黒（Ｋ）色の画像形成ユニット１１Ｋでは、感光体ドラム１２が矢印Ａ方向に回転しながら、帯電器１３により所定電位で一様に帯電され、画像処理部３５から送信された画像データに基づいて発光するＬＰＨ１４により露光される。これにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。同様に、画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００１４】
各画像形成ユニット１１で形成された各色トナー像は、矢印Ｂ方向に移動する中間転写ベルト２０上に、一次転写ロール２１により順次静電吸引されて、各色トナーが重畳された合成トナー像が形成される。中間転写ベルト２０上の合成トナー像は、中間転写ベルト２０の移動に伴って二次転写ロール２２が配置された領域（二次転写部Ｔ）に搬送される。合成トナー像が二次転写部Ｔに搬送されると、合成トナー像が二次転写部Ｔに搬送されるタイミングに合わせて用紙が用紙保持部４０から二次転写部Ｔに供給される。そして、二次転写部Ｔにて二次転写ロール２２により形成される転写電界により、合成トナー像は搬送されてきた用紙上に一括して静電転写される。
【００１５】
その後、合成トナー像が静電転写された用紙は、中間転写ベルト２０から剥離され、定着器４５まで搬送される。定着器４５に搬送された用紙上の合成トナー像は、定着器４５によって熱および圧力による定着処理を受けて用紙上に定着される。そして、定着画像が形成された用紙は、画像形成装置１の排出部に設けられた排紙積載部４１に搬送される。
一方、二次転写後に中間転写ベルト２０に付着しているトナー（転写残トナー）は、二次転写の終了後に中間転写ベルト２０表面からベルトクリーナ２５によって除去され、次の画像形成サイクルに備える。このようにして、画像形成装置１での画像形成がプリント枚数分のサイクルだけ繰り返して実行される。
【００１６】
図２は、露光部材であるＬＰＨ１４の構成を示した断面図である。このＬＰＨ１４は、図１に示す画像形成装置１において感光体ドラム１２の下方に配置され、下方から感光体ドラム１２を露光する。図２に示すように、ＬＰＨ１４は、ハウジング６１、ＬＥＤアレイ６３、ＬＥＤアレイ６３やＬＥＤアレイ６３を駆動する信号生成回路７０（後段の図３参照）等を搭載するＬＥＤ回路基板６２、ＬＥＤアレイ６３からの光を感光体ドラム１２表面に結像させるロッドレンズアレイ６４、ロッドレンズアレイ６４を支持するとともにＬＥＤアレイ６３を外部から遮蔽するホルダ６５を備えている。なお、本実施の形態では、ＬＥＤアレイ６３やロッドレンズアレイ６４等によって露光部が形成されている。
【００１７】
ハウジング６１は、アルミニウム、ＳＵＳ等の金属のブロックまたは板金で形成され、ＬＥＤ回路基板６２を支持している。ロッドレンズアレイ６４は、感光体ドラム１２の軸方向に沿って配置されるとともに、感光体ドラム１２の回転方向に所定の幅を有して形成されている。また、ロッドレンズアレイ６４は、正立等倍実像を形成する屈折率分布型レンズを複数並べて構成される。ホルダ６５は、長尺状に形成されるとともに感光体ドラム１２の軸方向に沿って配置されている。また、ホルダ６５は、ハウジング６１およびロッドレンズアレイ６４を支持し、ＬＥＤアレイ６３の発光点とロッドレンズアレイ６４の焦点面とが一致するように設定されている。さらに、ホルダ６５はＬＥＤアレイ６３を密閉するように構成されている。これにより、ＬＥＤアレイ６３に外部からゴミが付着し難い構成を実現している。また、ホルダ６５は、幅方向の両側面に、長手方向（感光体ドラム１２の軸方向）に沿って配置され、後述するスライド部材６７（後段の図１０参照）のスライドを案内するガイド溝６５ａを備えている。
【００１８】
ＬＥＤ回路基板６２には、図３（ＬＥＤ回路基板６２の平面図）に示したように、例えば５８個のＬＥＤチップ（ＣＨＩＰ１〜ＣＨＩＰ５８）からなるＬＥＤアレイ６３が、感光体ドラム１２の軸線方向と平行になるように精度よくライン状に配置されている。この場合、各ＬＥＤチップ（ＣＨＩＰ１〜ＣＨＩＰ５８）に配置された発光素子（ＬＥＤ）の配列の端部境界において、各ＬＥＤがＬＥＤチップ同士の連結部で連続的に配置されるように、各ＬＥＤチップは交互に千鳥状に配置されている。
また、ＬＥＤ回路基板６２には、各ＬＥＤチップを駆動する駆動信号を生成する信号生成回路７０およびレベルシフト回路７４、所定の電圧を出力する３端子レギュレータ７１、各ＬＥＤチップを構成する各ＬＥＤの光量補正データ等を記憶するＥＥＰＲＯＭ７２、制御部３０および画像処理部３５（図１参照）との間で信号の送受信や主電源３６からの電力供給を受けるハーネス７３が備えられている。なお、図３に示す信号生成回路７０、３端子レギュレータ７１、ＥＥＰＲＯＭ７２、ハーネス７３およびレベルシフト回路７４は、必ずしもＬＥＤ回路基板６２に取り付けられている必要はなく、他の基板に取り付けられていてもよい。
【００１９】
ここで、図４は、ＬＥＤチップ、信号生成回路７０およびレベルシフト回路７４の回路構成を示す図である。このＬＥＤチップでは、信号生成回路７０およびレベルシフト回路７４を介して各種駆動信号が供給される。すなわち、信号生成回路７０は、ＬＥＤチップに配置された各々のＬＥＤの並びに沿って順次点灯可能状態に設定する転送信号ＣＫ１Ｒ、ＣＫ１Ｃおよび転送信号ＣＫ２Ｒ、ＣＫ２Ｃと、画像処理部３５（図１参照）からの画像データに基づき各ＬＥＤを順次点灯する点灯信号ΦＩとを生成する。そして、転送信号ＣＫ１Ｒ、ＣＫ１Ｃおよび転送信号ＣＫ２Ｒ、ＣＫ２Ｃをレベルシフト回路７４に出力し、点灯信号ΦＩをＬＥＤチップに出力する。
レベルシフト回路７４は、抵抗Ｒ１ＢとコンデンサＣ１、および抵抗Ｒ２ＢとコンデンサＣ２とがそれぞれ並列に接続された構成を有し、それぞれの一端がＬＥＤチップの入力端子に接続され、他端が信号生成回路７０の出力端子に接続されている。そして、レベルシフト回路７４は、信号生成回路７０から出力される転送信号ＣＫ１Ｒ、ＣＫ１Ｃおよび転送信号ＣＫ２Ｒ、ＣＫ２Ｃに基づいて転送信号ＣＫ１および転送信号ＣＫ２を生成し、ＬＥＤチップに出力する。
【００２０】
一方、本実施の形態のＬＥＤチップは、例えばスイッチ素子としての１２８個のサイリスタＳ１〜Ｓ１２８、発光素子としての１２８個のＬＥＤ  Ｌ１〜Ｌ１２８、１２８個のダイオードＤ１〜Ｄ１２８、１２８個の抵抗Ｒ１〜Ｒ１２８、さらには信号ラインΦ１、Φ２に過剰な電流が流れるのを防止する転送電流制限抵抗Ｒ１Ａ、Ｒ２Ａを主な構成要素としている。
そして、各サイリスタＳ１〜Ｓ１２８のアノード端子Ａ１〜Ａ１２８は電源ライン５５に接続され、電源ラインを介して３端子レギュレータ７１（図３参照）から駆動電圧ＶＤＤ（ＶＳＳ＝＋３．３Ｖ）が供給される。
一方、サイリスタＳ１〜Ｓ１２８のゲート端子Ｇ１〜Ｇ１２８は、各サイリスタＳ１〜Ｓ１２８に対応して設けられた抵抗Ｒ１〜Ｒ１２８を介して電源ライン５６に各々接続され、電源ライン５６を介して接地されている。
【００２１】
また、奇数番目のサイリスタＳ１、Ｓ３、…、Ｓ１２７のカソード端子Ｋ１、Ｋ２、…、Ｋ１２７には、信号生成回路７０およびレベルシフト回路７４からの転送信号ＣＫ１が転送電流制限抵抗Ｒ１Ａを介して送信される。偶数番目のサイリスタＳ２、Ｓ４、…、Ｓ１２８には、信号生成回路７０およびレベルシフト回路７４からの転送信号ＣＫ２が転送電流制限抵抗Ｒ２Ａを介して送信される。
さらに、ＬＥＤ  Ｌ１〜Ｌ１２８のカソード端子は信号生成回路７０に接続されて点灯信号ΦＩが送信される。
【００２２】
そして、この信号生成回路７０は、転送信号ＣＫ１Ｒ、ＣＫ１Ｃおよび転送信号ＣＫ２Ｒ、ＣＫ２Ｃをそれぞれ所定のタイミングでハイレベル（以下、「Ｈ」と記す）からローレベル（以下、「Ｌ」と記す）、また、「Ｌ」から「Ｈ」に設定する。これにより、レベルシフト回路７４から出力される転送信号ＣＫ１の電位を「Ｈ」から「Ｌ」、「Ｌ」から「Ｈ」に繰り返し設定し、且つ、それに交互して出力される転送信号ＣＫ２の電位を「Ｈ」から「Ｌ」、「Ｌ」から「Ｈ」に繰り返し設定することで、例えば各ＬＥＤチップでは、奇数番目サイリスタＳ１、Ｓ３、…、Ｓ１２７を順次オフ→オン→オフの転送動作を行わせる。また、偶数番目のサイリスタＳ２、Ｓ４、…、Ｓ１２８を順次オフ→オン→オフの転送動作を行わせる。それにより、サイリスタＳ１〜Ｓ１２８をＳ１→Ｓ２→、…、→Ｓ１２７→Ｓ１２８の順番で順次オフ→オン→オフの転送動作を行わせ、それに同期させて、点灯信号ΦＩを出力する。これによって、ＬＥＤ Ｌ１〜Ｌ１２８は、Ｌ１→Ｌ２→、…、→Ｌ１２７→Ｌ１２８の順番で順次点灯される。
【００２３】
その場合に、ＬＰＨ１４からの露光は、形成される画像（静電潜像）に傾きや歪み等が生じないように、感光体ドラム１２の軸線に対して平行に行われることが好ましい。そのため、ＬＰＨ１４が画像形成装置１に設置されるに際しては、感光体ドラム１２の軸線に対して高精度に位置設定されることが要求される。ここで、感光体ドラム１２（像保持体）の軸線とは、本実施の形態の感光体ドラム１２のように像保持体が円筒形状である場合には、感光体ドラム１２の回転軸の中心線が軸線である。また、例えば像保持体がベルト形状の感光体（ベルト感光体）であって、ベルト感光体の平面部に露光が行われる場合には、ベルト感光体表面の移動方向に直交し、かつ、露光領域におけるベルト感光体表面に平行な方向に向かう線が軸線である。
【００２４】
続いて、画像形成装置１におけるＬＰＨ１４の位置決め機構について説明する。
図５は、感光体ドラム１２を備えた感光体モジュールＰＭと、ＬＰＨ１４および進退機構１７を備えた露光モジュールＥＭとが、画像形成装置１に取り付けられた状態を示す斜視図である。なお、図５においては、図面の左側が画像形成装置１のフロント側であって感光体モジュールＰＭが着脱操作される側であり、図面の右側が画像形成装置１のリア側であって画像形成装置１に取り付けられた駆動モータ（図示せず）からの駆動が感光体ドラム１２等に伝達される側である。また、図５は、露光モジュールＥＭを構成するＬＰＨ１４が、上述した露光位置にセットされた状態を示している。そして、図６は図５におけるフロント側の拡大図であり、図７は図５におけるリア側の拡大図である。
また、図８は、感光体モジュールＰＭの構成を示す斜視図である。なお、図８においては、図面の左下側が画像形成装置１のフロント側に、図面の右上側が画像形成装置１のリア側に、それぞれ対応している。
さらに、図９は露光モジュールＥＭの構成を、図１０は露光モジュールＥＭにおけるＬＰＨ１４の構成を、図１１は露光モジュールＥＭにおける進退機構１７の構成を、それぞれ示す斜視図である。さらにまた、図１２は進退機構１７に設けられたフロント規制部材１７８Ｆ（後述）を説明するための図である。また、図１３（ａ）は進退機構１７をＺ方向からみた上面図、図１３（ｂ）は進退機構１７をＹ方向からみた側面図、図１３（ｃ）は図１３（ａ）のＡ−Ａ断面図である。さらに、図１４は進退機構１７におけるリンク機構１７３（後述）の主要部を示す斜視図である。なお、図９においては、図面の右下側が画像形成装置１のフロント側に、図面の左上側が画像形成装置１のリア側に、それぞれ対応している。また、図１０においては、図面の右下側が画像形成装置１のフロント側に、図面の左上側が画像形成装置１のリア側に、それぞれ対応している。さらに、図１１においては、図面の右上側が画像形成装置１のフロント側に、図面の左下側が画像形成装置１のリア側に、それぞれ対応している。そして、図１２においては、図面の左側が画像形成装置１のフロント側に、図面の右側が画像形成装置１のリア側に、それぞれ対応している。また、図１３においては、図面の右側が画像形成装置１のフロント側に、図面の左側が画像形成装置１のリア側に、それぞれ対応している。さらに、図１４においては、図面の左下側が画像形成装置１のフロント側に、図面の右上側が画像形成装置１のリア側に、それぞれ対応している。
なお、以下の説明においては、図５等に示すように、ＬＰＨ１４におけるロッドレンズアレイ６４の光軸方向をＺ方向（第１の方向に対応）と定義する。また、主走査方向すなわち感光体ドラム１２の軸方向をＸ方向（第２の方向に対応）と定義する。さらに、副走査方向すなわちＸ方向およびＺ方向の双方に直交する方向をＹ方向（第３の方向）と定義する。
【００２５】
まず最初に、図５〜図８を参照しつつ、感光体モジュールＰＭの構成について説明する。
像保持体モジュールの一例としての感光体モジュールＰＭは、上述した感光体ドラム１２、帯電器１３およびクリーナ１６に加え、これらを保持するためのフロントハウジング８１Ｆおよびリアハウジング８１Ｒをさらに備えている。なお、これらフロントハウジング８１Ｆおよびリアハウジング８１Ｒは、Ｘ方向に沿って延び帯電器１３やクリーナ１６（ともに図示せず）を覆う接続ハウジング８１Ｍと一体化されている。また、感光体モジュールＰＭにおいて、フロントハウジング８１Ｆのフロント側にはプレート８２が取り付けられており、プレート８２のフロント側には感光体モジュールＰＭの着脱操作に用いられるハンドルを備えたカバー８３が取り付けられている。そして、プレート８２のリア側の下方には、ＬＰＨ１４のＹ方向の位置決めに使用されるフロント位置決め部材８４が取り付けられている。また、このプレート８２には複数の穿孔が形成されている。プレート８２に設けられた複数の穿孔の一部は、画像形成装置１のフロント側から感光体モジュールＰＭを挿入して取り付けを行った際に、画像形成装置１のフロント側のフレーム（図示せず）に取り付けられたフロントピン１Ｆにはめ込まれることで、画像形成装置１に対する感光体モジュールＰＭのフロント側の位置決めを行う。一方、感光体モジュールＰＭのリア側において、感光体ドラム１２、帯電器１３、クリーナ１６等には画像形成装置１から駆動力を受けるための被駆動部が形成されている。この被駆動部はカップリング部材等にて構成されており、画像形成装置１のフロント側から感光体モジュールＰＭを挿入して取り付けを行った際に、画像形成装置１のリア側に設けられた駆動部のカップリング部材にはめ込まれる。また、感光体モジュールＰＭのリア側において、リアハウジング８１Ｒのリア側にはリング状部材８５が取り付けられている。このリング状部材８５は、画像形成装置１のフロント側から感光体モジュールＰＭを挿入して取り付けを行った際に、画像形成装置１のリア側のフレーム（図示せず）にはめ込まれることで、画像形成装置１に対する感光体モジュールＰＭのリア側の位置決めを行う。
【００２６】
また、感光体モジュールＰＭにおいて、感光体ドラム１２のＸ方向両端部には円筒状のフロントフランジ１２１Ｆ、リアフランジ１２１Ｒがそれぞれ圧入されており、これらフロントフランジ１２１Ｆ、リアフランジ１２１Ｒは、それぞれ、カバー８３、リング状部材８５に回転可能に支持される。そして、これらフロントフランジ１２１Ｆ、１２１Ｒには、それぞれ、支持部材の一例としてのフロントボールベアリング（以下、フロントＢＢと称する）１２２Ｆ、リアボールベアリング（以下、リアＢＢと称する）１２２Ｒが外装されている。なお、本実施の形態において、フロントＢＢ１２２Ｆはフロントフランジ１２１Ｆに対してわずかな隙間をもって取り付けられており、リアＢＢ１２２Ｒはリアフランジ１２１Ｒに対してわずかな隙間をもって取り付けられている。一方、フロントＢＢ１２２Ｆはフロントハウジング８１Ｆに、リアＢＢ１２２Ｒはリアハウジング８１Ｒに、それぞれ密着して取り付けられている。したがって、フロントＢＢ１２２Ｆはフロントハウジング８１Ｆに、リアハウジング１２２Ｒはリアハウジング８１Ｒに、それぞれ固定されている。ここで、フロントＢＢ１２２Ｆはフロントハウジング８１Ｆに収容されているが、現像器１５（図１参照）と対向する位置およびＬＰＨ１４と対向する位置には開口が形成されている。一方、リアＢＢ１２２Ｒはリアハウジング８１Ｒに収容されているが、フロントハウジング８１Ｆと同様、現像器１５（図１参照）と対向する位置およびＬＰＨ１４と対向する位置には開口が形成されている。したがって、ＬＰＨ１４および現像器１５と対向する位置では、フロントＢＢ１２２ＦおよびリアＢＢ１２２Ｒの外周面が露出している。そして、本実施の形態では、これらフロントＢＢ１２２ＦおよびリアＢＢ１２２Ｒが、後述するＬＰＨ１４のＺ方向の位置決めに用いられる。また、これらフロントＢＢ１２２ＦおよびリアＢＢ１２２Ｒは、現像器１４（図１参照）を構成する現像ロールの位置決めにも使用される。
【００２７】
次に、図５〜図７および図９〜図１４を参照しつつ、露光モジュールＥＭの構成について説明する。
露光モジュールＥＭは、上述したようにＬＰＨ１４および進退機構１７を備えており、進退機構１７のリア側が画像形成装置１のリア側のフレーム（図示せず）に取り付けられたリア保持部材１Ｒに保持されることで、画像形成装置１に対する進退機構１７のリア側の位置決めを行う。また、進退機構１７のフロント側下部には、複数の穿孔が形成された固定用プレート１７６が取り付けられている。この固定用プレート１７６に設けられた複数の穿孔の一部は、画像形成装置１のフロント側から露光モジュールＥＭを挿入して取り付けを行った後、画像形成装置１のフロント側のフレーム（図示せず）にネジ止めされることで、画像形成装置１に対する進退機構１７のフロント側の位置決めを行う。ここで、露光モジュールＥＭでは、このようにして画像形成装置１に進退機構１７が固定された状態において、ＬＰＨ１４がＺ方向すなわち露光位置と退避位置との間で移動するように構成されている。そして、ＬＰＨ１４が退避位置から露光位置へと移動するに際して、感光体ドラム１２に対するＬＰＨ１４のＺ方向の位置決めがなされる。
【００２８】
続いて、主として図１０を参照しつつ、ＬＰＨ１４の構成について説明を行う。
ＬＰＨ１４のハウジング６１のフロント側には、ＬＰＨ１４のフロント側のＺ方向の位置を定める第１フロント位置決めピン６１１Ｆと、ＬＰＨ１４のフロント側のＸ方向およびＹ方向の位置を定める第１の位置決め部材および第２の位置決め部材の一例としての第２フロント位置決めピン６１２Ｆとが取り付けられている。一方、ＬＰＨ１４のハウジング６１のリア側には、ＬＰＨ１４のリア側のＺ方向の位置を定める第１リア位置決めピン６１１Ｒと、ＬＰＨ１４のリア側のＸ方向およびＹ方向の位置を定める第１の位置決め部材および第２の位置決め部材の一例としての第２リア位置決めピン６１２Ｒとが取り付けられている。
【００２９】
ここで、第１フロント位置決めピン６１１Ｆ、第１リア位置決めピン６１１Ｒ、第２フロント位置決めピン６１２Ｆ、第２リア位置決めピン６１２Ｒは、それぞれ、所定の外径を持った円柱状金属で構成されている。これらのうち、突出部材の一例としての第１フロント位置決めピン６１１Ｆおよび第１リア位置決めピン６１１Ｒは、Ｘ方向に延びるハウジング６１から感光体モジュールＰＭと対向する側（一方の端部に対応）およびその逆側（他方の端部に対応）の両側に向けて突出形成されている。また、これら第１フロント位置決めピン６１１Ｆおよび第１リア位置決めピン６１１Ｒの先端部は半球状の形状を有している。一方、第２フロント位置決めピン６１２Ｆおよび第２リア位置決めピン６１２Ｒは、ハウジング６１から感光体モジュールＰＭと対向する側およびその逆側の両側に向けて突出形成されている。また、これら第２フロント位置決めピン６１２Ｆおよび第２リア位置決めピン６１２Ｒの両先端部は平面状の形状を有している。
さらに、これら第１フロント位置決めピン６１１Ｆ、第１リア位置決めピン６１１Ｒ、第２フロント位置決めピン６１２Ｆ、第２リア位置決めピン６１２Ｒは、各々の中心軸がＬＥＤチップ（ＣＨＩＰ１〜ＣＨＩＰ５８：図３参照）の配列方向と一致するように配列されたロッドレンズアレイ６４の配列線と一致するように配置されている。
さらにまた、第１フロント位置決めピン６１１Ｆおよび第１リア位置決めピン６１１Ｒは、第２フロント位置決めピン６１２Ｆおよび第２リア位置決めピン６１２Ｒよりもロッドレンズアレイ６４に近接して配置されている。
【００３０】
ここで、ＬＰＨ１４には、ロッドレンズアレイ６４の清掃に使用するスライド部材６７が取り付けられている。このスライド部材６７は、Ｘ方向（ＬＰＨ１４の長手方向）に沿ってスライド可能に設けられた長尺な部材である。さらに、スライド部材６７は、リア側に設けられスライドに伴ってロッドレンズアレイ６４の光照射面に接触して光照射面の清掃を行うブレード（図示せず）を支持する支持部６７ａと、フロント側に設けられ清掃時の進退操作を受ける取っ手６７ｂとをさらに備えている。ブレードは、ウレタンゴムなどの弾性を有する材料にて形成されている。また、支持部６７ａは、ホルダ６５の一側面側から他側面側に跨って配置されている。そして、その内側には図示しないガイドが取り付けられており、ホルダ６５に設けられたガイド溝６５ａ（図２参照）にはめ込まれている。そして、ＬＰＨ１４のフロント側には、ハウジング６１に対してスライド部材６７をスライド可能に支持するスライド保持部材６８が装着されている。このように、スライド部材６７がＸ方向に沿ってスライド可能に設けられる結果、支持部６７ａも、Ｘ方向に沿ってスライド可能に設けられることになる。したがって、取っ手６７ｂを用いてスライド部材６７をＸ方向にスライドさせた場合に、ロッドレンズアレイ６４の上面にブレードが接触しながら移動することにより、ロッドレンズアレイ６４の上面に付着した埃等が取り除かれることになる。なお、例えば画像形成動作を行う場合などにおいて、スライド部材６７は、ＬＰＨ１４の最もリア側に配置される。この位置において、支持部６７ａおよび支持部６７ａに取り付けられたブレードは、ロッドレンズアレイ６４を覆わないようになっている。
【００３１】
今度は、主として図１１〜図１４を参照しつつ、進退機構１７の詳細な構成について説明を行う。
進退機構１７は、Ｘ方向に沿って伸び凹字状の断面を有する筐体１７１と、筐体１７１のフロント側に取り付けられ軸を中心にＣ方向およびＤ方向に回転するレバー１７２と、筐体１７１の内部に取り付けられ、レバー１７２の動作に連動して筐体１７１に対して保持部１７３ａおよび支持部１７３ｂをＺ方向に昇降させるリンク機構１７３とを備えている。なお、本実施の形態では、リンク機構１７３のＸ方向両端側に設けられた保持部１７３ａにＬＰＨ１４のハウジング６１内部に設けられた噛み合い部材の一例としての被保持部６６（後述する図１９参照）を保持させることで、ＬＰＨ１４と進退機構１７とを一体化した露光モジュールＥＭを構成している。また、リンク機構１７３のＸ方向両端側に設けられた支持部１７３ｂによって、ＬＰＨ１４のハウジング６１に設けられた第１フロント位置決めピン６１１Ｆ、第１リア位置決めピン６１１Ｒ（図１０参照）の下部側を支持している。そして、進退機構１７では、レバー１７２を矢印Ｃ方向に倒した際に保持部１７３ａおよび支持部１７３ｂがＺ方向に移動し、レバー１７２を矢印Ｄ方向に倒した際に保持部１７３ａおよび支持部１７３ｂが−Ｚ方向に移動する。したがって、露光モジュールＥＭにおいて、進退機構１７のレバー１７２を矢印Ｃ方向に倒した際には、支持部１７３ｂによって第１フロント位置決めピン６１１Ｆ、第１リア位置決めピン６１１ＲがＺ方向に押し出されることによりＬＰＨ１４が上がる方向（露光位置）に向けて移動し、レバー１７２を矢印Ｄ方向に倒した際には、保持部１７３ａによって被保持部６６が−Ｚ方向に引き込まれることによりＬＰＨ１４が下がる方向（退避位置）に向けて移動する。
【００３２】
また、進退機構１７を構成する筐体１７１のリア側の一側面には、進退機構１７にＬＰＨ１４が取り付けられた際にＬＰＨ１４に設けられたハーネス７３（図３参照）と電気的に接続される中継基板１７４が取り付けられている。そして、中継基板１７４のリア側には、画像形成装置１に進退機構１７を含む露光モジュールＥＭを取り付けた際に、中継基板１７４と画像形成装置１に設けられた給電コネクタ（図示せず）とを接続する受電コネクタ１７５が装着されている。さらに、進退機構１７を構成する筐体１７１のフロント側の底面下部には、複数の穿孔が形成された固定用プレート１７６が取り付けられている。一方、進退機構１７を構成する筐体１７１のリア側には、リア保持部材１Ｒ（図５参照）への取り付けに使用されるはめ込み部材１７７が、Ｘ方向に突出形成されている。
【００３３】
また、図１２に示すように、進退機構１７を構成する筐体１７１の上部側において、フロント側にはフロント規制部材１７８Ｆが取り付けられている。ここで、本実施の形態では、このフロント規制部材１７８Ｆが、保持部材あるいは第１の保持部材の一例として機能している。なお、図１１は、筐体１７１からフロント規制部材１７８Ｆが取り外された状態を示している。フロント規制部材１７８Ｆには、Ｙ方向に沿って伸びるＵ字溝が形成されている。Ｕ字溝のＸ方向の径は、ＬＰＨ１４に設けられた第２フロント位置決めピン６１２Ｆの直径よりもわずかに大きく設定されている。このため、進退機構１７にＬＰＨ１４を装着して露光モジュールＥＭを構成する際に、フロント規制部材１７８ＦのＵ字溝には第２フロント位置決めピン６１２Ｆの下部側が挿入されるようになっている。このようなフロント規制部材１７８Ｆを設けることにより、第２フロント位置決めピン６１２Ｆは、Ｙ方向およびＺ方向への移動に対する規制を受けない一方、Ｘ方向への移動に対する規制を受けることになる。
【００３４】
続いて、主として図１３および図１４を参照しつつ、進退機構１７に設けられたリンク機構１７３の構成について説明する。
リンク機構１７３は、第１リンク部材３０１、第２リンク部材３０２、バネ３０３、フロントバネ３０４Ｆ、リアバネ３０４Ｒ、フロントカム３０５Ｆ、リアカム３０５Ｒ、および昇降部材３０６を備えている。なお、図１３では、フロント規制部材１７８Ｆの記載を省略している。また、図１４では、昇降部材３０６の記載を省略している。
【００３５】
レバー１７２にはＹ方向に伸びる軸１７２ａが突出形成されており、レバー１７２は、軸１７２ａを介して筐体１７１に回転可能に取り付けられている。また、レバー１７２にはＹ方向に伸びる軸１７２ｂがさらに形成されており、この軸１７２ｂにＸ方向に伸びる第１リンク部材３０１のフロント側の端部が回転可能に取り付けられている。さらに、第１リンク部材３０１のリア側の端部にはＹ方向に伸びる軸３０１ａが形成されており、この軸３０１ａにＸ方向に伸びる第２リンク部材３０２が回転可能に取り付けられる。なお、第２リンク部材３０２のＹ−Ｚ面における断面はＬ字状となっている、そして、第２リンク部材３０２のフロント側の側面にはＸ方向に長い第１フロント長穴３０２Ｆａおよび第２フロント長穴３０２Ｆｂが形成されている。ここで、第１フロント長穴３０２Ｆａは、第２フロント長穴３０２ＦｂよりもＺ方向上部側に形成される。また、第２リンク部材３０２のリア側の側面にも、Ｘ方向に長い第１リア長穴３０２Ｒａおよび第２リア長穴３０２Ｒｂが形成されている。ここで、第２リア長穴３０２Ｒａは、第２リア長穴３０２ＲｂよりもＺ方向上部側に形成される。
また、バネ３０３は、第２リンク部材３０２の中央部にＸ方向に沿って設けられており、フロント側の端部が第２リンク部材３０２によって、リア側の端部が筐体１７１によって、それぞれ支持される。
【００３６】
さらに、フロントバネ３０４Ｆおよびフロントカム３０５Ｆは第２リンク部材３０２のフロント側に、また、リアバネ３０４Ｒおよびリアカム３０５Ｒは第２リンク部材３０２のリア側に、それぞれ取り付けられている。
【００３７】
フロントカム３０５Ｆは、Ｙ方向に伸びる軸３０５Ｆａを備えている。この軸３０５Ｆａの一端側は筐体１７１に回転可能に保持され、他端側は第２リンク部材３０２に設けられた第１フロント長穴３０２Ｆａに所定の隙間をもって挿入され且つ筐体１７１に回転可能に保持される。これにより、フロントカム３０５Ｆは、筐体１７１に対し軸３０５Ｆａを中心に回転可能となっている。また、フロントカム３０５Ｆは、軸３０５Ｆａの下方に設けられＹ方向に突出する突起３０５Ｆｂをさらに備えている。この突起３０５Ｆｂは、第２リンク部材３０２に設けられた第２フロント長穴３０２Ｆｂに所定の隙間をもって挿入される。さらに、フロントバネ３０４Ｆはフロントカム３０５Ｆのフロント側にＸ方向に沿って設けられており、フロント側の端部が筐体１７１に、リア側の端部がフロントカム３０５Ｆの軸３０５Ｆａよりも下方の部位に、それぞれ支持される。
【００３８】
リアカム３０５Ｒは、Ｙ方向に伸びる軸３０５Ｒａを備えている。この軸３０５Ｒａの一端側は筐体１７１に回転可能に保持され、他端側は第２リンク部材３０２に設けられた第１リア長穴３０２Ｒａに所定の隙間をもって挿入され且つ筐体１７１に回転可能に保持される。これにより、リアカム３０５Ｒは、筐体１７１に対し軸３０５Ｒａを中心に回転可能となっている。また、リアカム３０５Ｒは、軸３０５Ｒａの下方に設けられＹ方向に突出する突起３０５Ｒｂをさらに備えている。この突起３０５Ｒｂは、第２リンク部材３０２に設けられた第２リア長穴３０２Ｒｂに所定の隙間をもって挿入される。さらに、リアバネ３０４Ｒはリアカム３０５Ｒのフロント側にＸ方向に沿って設けられており、フロント側の端部が筐体１７１に、リア側の端部がリアカム３０５Ｒの軸３０５Ｒａよりも下方の部位に、それぞれ支持される。
【００３９】
そして、昇降部材３０６は、フロントカム３０５Ｆの上部側に設けられた取付穴３０５Ｆｃおよびリアカム３０５Ｒの上部側に設けられた取付穴３０５Ｒｃに、図示しない部材を介して昇降可能に取り付けられている。なお、昇降部材３０６は、Ｘ方向に沿って上記取付穴３０５Ｆｃ、３０５Ｒｃを跨ぐように配置されており、そのフロント側およびリア側に上述した保持部１７３ａおよび支持部１７３ｂが設けられる。
【００４０】
図１５は、感光体モジュールＰＭのプレート８２（図６参照）に取り付けられる第２の保持部材の一例としてのフロント位置決め部材８４の構成を示す斜視図である。このフロント位置決め部材８４は、下部側にＸ方向に向かって開口するＵ字状の受け溝８４１ａが形成されたブラケット８４１と、ブラケット８４１にネジ止めされた板バネ８４２とを備えている。なお、ネジは、フロント位置決め部材８４をプレート８２に取り付けるのにも使用される。ここで、ブラケット８４１の受け溝８４１ａには、画像形成装置１に対して感光体モジュールＰＭを取り付けた際にＬＰＨ１４に設けられた第２フロント位置決めピン６１２Ｆの上部側が挿入されるようになっている（図６参照）。また、押し付け部材の一例としての板バネ８４２は、ブラケット８４１の受け溝８４１ａに第２フロント位置決めピン６１２Ｆが挿入された際に、この第２フロント位置決めピン６１２ＦをＹ方向に押し付けるようになっている。
【００４１】
一方、図１６は、画像形成装置１のリア側のフレームに取り付けられる第２の保持部材の一例としてのリア保持部材１Ｒの構成を示す斜視図である。このリア保持部材１Ｒは、ブラケット９１と、ブラケット９１のフロント下側に取り付けられた金属製の第１の板バネ９２と、ブラケット９１の上側にＹ方向に首振り自在に取り付けられた鉤状のアーム９３と、ブラケット９１に取り付けられアーム９３に接触配置される金属製の第２の板バネ９４と、ブラケット９１に対して第１の板バネ９２、アーム９３および第２の板バネ９４を固定するネジ９５とを備えている。なお、第２の板バネ９４の自由端側には、樹脂あるいはゴム等からなる緩衝部材９４ａが取り付けられている。ここで、ブラケット９１と第１の板バネ９２との間には、露光モジュールＥＭが画像形成装置１に取り付けられた際に、進退機構１７の筐体１７１のリア側に設けられたはめ込み部材１７７（図１１参照）が挿入されるようになっている。また、ブラケット９１とアーム９３との間には、露光モジュールＥＭが画像形成装置１に取り付けられた際にＬＰＨ１４の第２リア位置決めピン６１２Ｒ（図１０参照）の上部側がはまりこむようになっている。そして、押し付け部材の一例としての第２の板バネ９４は、ブラケット９１とアーム９３との間に第２リア位置決めピン６１２Ｒがはまりこんだ際に、この第２リア位置決めピン６１２ＲをＹ方向に押し付けるようになっている。そして、第２の板バネ９４に設けられた緩衝部材９４ａは、第２のリア位置決めピン６１２Ｒが挿入された際の衝撃を緩和する。
【００４２】
また、ブラケット９１の下方には、Ｙ方向およびＺ方向に傾斜して形成され、露光モジュールＰＭの挿入時にはめ込み部材１７７を案内する筐体案内部９１ａが形成されている。さらに、ブラケット９１の下方には、露光モジュールＰＭが挿入された際に進退機構１７に取り付けられた中継基板１７４（図９参照）を保持する基板保持部９１ｂが形成されている。なお、基板保持部９１ｂのフロント側にもＺ方向への傾斜面が形成されており、挿入されてくる中継基板１７４を案内するようになっている。そして、本実施の形態では、ＬＰＨ１４に設けられた第２フロント位置決めピン６１２Ｆ、第２リア位置決めピン６１２Ｒ、感光体モジュールＰＭに取り付けられたフロント位置決め部材８４、および画像形成装置１の本体（リア側のフレーム）に取り付けられたリア保持部材１Ｒによって、位置決め手段が構成されている。
【００４３】
では、図５〜図１６を参照しながら、画像形成装置１に対する露光モジュールＥＭの装着手順、および、露光モジュールＥＭが取り付けられた画像形成装置１に対する感光体モジュールＰＭの装着手順について説明する。
【００４４】
まず、露光モジュールＥＭおよび感光体モジュールＰＭが取り付けられていない画像形成装置１に対し、画像形成装置１のフロント側から露光モジュールＥＭを挿入していく。このとき、露光モジュールＥＭを構成する進退機構１７のレバー１７２は図９においてＤ方向に倒されることにより、筐体１７１とほぼ水平な状態となっており、ＬＰＨ１４は進退機構１７側に引き込まれている。そして、挿入された露光モジュールＥＭは、画像形成装置１内に設けられたガイド（図示せず）に沿ってフロント側（一端側）からリア側（他端側）に向けて進んでいく。
【００４５】
その後、挿入に伴って露光モジュールＥＭのリア側が画像形成装置１のリア側のフレームに設けられたリア保持部材１Ｒにはめ込まれる。具体的に説明すると、進退機構１７のリア側に設けられたはめ込み部材１７７が、リア保持部材１Ｒのブラケット９１と第１の板バネ９２との間に挟み込まれ、画像形成装置１に対して進退機構１７のリア側が固定される。また、ＬＰＨ１４のリア側に設けられた第２リア位置決めピン６１２Ｒが、リア保持部材１Ｒのブラケット９１とアーム９３との間に挟み込まれ、第２の板バネ９４によりアーム９３がＹ方向に押されることにより、ＬＰＨ１４のリア側のＹ方向位置が決められる。さらに、進退機構１７のリア側に設けられた受電コネクタ１７５が、画像形成装置１のリア側に設けられた給電コネクタ（図示せず）にはめ込まれ、両者が電気的に接続される。一方、進退機構１７のフロント側に設けられた固定用プレート１７６と画像形成装置１のフロント側のフレームとが対向した状態となり、フロント側のフレームに固定用プレート１７６がネジ止めされる。このように、進退機構１７のリア側が画像形成装置１のリア側のフレームに設けられたリア保持部材１Ｒに、フロント側が画像形成装置１のフロント側のフレームにそれぞれ固定されることにより、画像形成装置１に対する進退機構１７の位置決めがなされる。また、画像形成装置１に固定された進退機構１７に設けられたフロント規制部材１７８Ｆが、第２フロント位置決めピン６１２Ｆを介してＬＰＨ１４のＸ方向への移動を規制していることから、ＬＰＨ１４のＸ方向の位置決めがなされる。
【００４６】
次に、このようにして露光モジュールＥＭが取り付けられた画像形成装置１に対し、画像形成装置１のフロント側から感光体モジュールＰＭを挿入していく。このとき、露光モジュールＥＭを構成する進退機構１７のレバー１７２はＤ方向に倒されたままとなっており、ＬＰＨ１４は進退機構１７側に引き込まれた状態を維持している。このとき、レバー１７２がＤ方向に倒されているので、レバー１７２が感光体モジュールＰＭの挿入を邪魔しないようにもなっている。そして、挿入された感光体モジュールＰＭは、画像形成装置１内に設けられたガイド（図示せず）に沿ってフロント側からリア側に向けて進んでいく。
【００４７】
その後、挿入に伴って感光体モジュールＰＭのリア側に設けられたリング状部材８５が画像形成装置１のリア側のフレームにはめ込まれ、また、感光体モジュールＰＭのフロント側に設けられたプレート８２の穴に画像形成装置１のフロント側のフレームに設けられたフロントピン１Ｆがはめ込まれる。さらに、感光体モジュールＰＭのリア側に設けられた被駆動部（カップリング部材）が、画像形成装置１のリア側に設けられた駆動部（カップリング部材）にはめ込まれる。このように、感光体モジュールＰＭのリア側が画像形成装置１のリア側のフレームに、フロント側が画像形成装置１のフロント側のフレームに設けられたフロントピン１Ｆにそれぞれ固定されることにより、画像形成装置１に対する感光体モジュールＰＭの位置決めがなされる。
【００４８】
また、感光体モジュールＰＭの挿入に伴い、感光体モジュールＰＭのフロント側に設けられたフロント位置決め部材８４の受け溝８４１ａに、ＬＰＨ１４のフロント側に設けられた第２フロント位置決めピン６１２Ｆが挟み込まれ、板バネ８４２により第２フロント位置決めピン６１２ＦがＹ方向に押されることにより、ＬＰＨ１４のフロント側のＹ方向位置が決められる。そして、画像形成装置１のリア側では、既にリア保持部材１Ｒが、第２リア位置決めピン６１２Ｒを介してＬＰＨ１４のリア側のＹ方向位置を決めている。このように、画像形成装置１のリア側のフレームに設けられたリア保持部材１ＲがＬＰＨ１４の第２リア位置決めピン６１２ＲのＹ方向への移動を規制し、且つ、感光体モジュールＰＭのプレート８２に取り付けられたフロント位置決め部材８４がＬＰＨ１４の第２フロント位置決めピン６１２ＦのＹ方向への移動を規制していることから、ＬＰＨ１４のＹ方向の位置決めがなされる。
【００４９】
そして、画像形成装置１に感光体モジュールＰＭがセットされた後、露光モジュールＥＭの進退機構１７のレバー１７２がＣ方向に引き上げられ、レバー１７２が筐体１７１に対してほぼ垂直となった状態で、画像形成装置１に設けられた固定部材（図示せず）により固定される。すると、レバー１７２の引き上げに連動してリンク機構１７３が動作し、保持部１７３ａおよび支持部１７３ｂがＺ方向に立ち上がる。また、保持部１７３ａおよび支持部１７３ｂがＺ方向に立ち上がることにより、支持部１７３ｂに支持されたＬＰＨ１４がＺ方向に持ち上がる。このとき、ＬＰＨ１４のフロント側に設けられた第２フロント位置決めピン６１２Ｆの下部側は進退機構１７の筐体１７１に取り付けられたフロント規制部材１７８Ｆによって、Ｘ方向への移動が規制されている。また、第２フロント位置決めピン６１２Ｆの上部側は感光体モジュールＰＭに取り付けられたフロント位置決め部材８４によって、第２リア位置決めピン６１２Ｒの上部側は画像形成装置１のリア側のフレームに取り付けられたリア保持部材１Ｒによって、それぞれＹ方向への移動が規制されている。このため、ＬＰＨ１４は、Ｘ方向およびＹ方向への移動を規制された状態、換言すれば、Ｘ方向およびＹ方向の位置決めがなされた状態で、Ｚ方向に移動する。このとき、ＬＰＨ１４は、Ｙ方向にはバネ力による押しつけを受けているが、Ｘ方向にはバネ力による押しつけを受けていない。このため、ＬＰＨ１４は、Ｘ方向、Ｙ方向の両方向にバネ力による押しつけを受けている場合と比較して、少ない力でＺ方向に持ち上がることになる。
【００５０】
そして、ＬＰＨ１４がＺ方向に持ち上がると、ＬＰＨ１４のフロント側に設けられた第１フロント位置決めピン６１１Ｆが感光体モジュールＰＭのフロント側に設けられたフロントＢＢ１２２Ｆに突き当たり、また、ＬＰＨ１４のリア側に設けられた第１リア位置決めピン６１１Ｒが感光体モジュールＰＭのリア側に設けられたリアＢＢ１２２Ｒに突き当たる。このように、感光体モジュールＰＭの感光体ドラム１２のＸ方向両端に設けられたフロントＢＢ１２２Ｆ、リアＢＢ１２２Ｒが、第１フロント位置決めピン６１１Ｆ、第１リア位置決めピン６１１Ｒを介してＬＰＨ１４のＺ方向への移動を規制することから、ＬＰＨ１４のＺ方向の位置決めがなされる。
【００５１】
したがって、露光位置にセットされたＬＰＨ１４は、感光体ドラム１２に対し次のように位置決めされることになる。
まず、Ｘ方向については、第２フロント位置決めピン６１２Ｆの下部側が画像形成装置１に固定された進退機構１７のフロント規制部材１７８Ｆに保持されることにより位置決めされる。
また、Ｙ方向については、第２フロント位置決めピン６１２Ｆの上部側が画像形成装置１に固定された感光体モジュールＰＭに設けられたフロント位置決め部材８４に、第２リア位置決めピン６１２Ｒの上部側が画像形成装置１のリア側のフレームに固定されたリア保持部材１Ｒに、それぞれ保持されることにより位置決めされる。
さらに、Ｚ方向については、第１フロント位置決めピン６１１Ｆ、第１リア位置決めピン６１１Ｒが画像形成装置１に固定された感光体モジュールＰＭに設けられたフロントＢＢ１２２Ｆ、リアＢＢ１２２Ｒにそれぞれ押し付けられることにより位置決めされる。
【００５２】
つまり、感光体ドラム１２に対するＬＰＨ１４のＸ方向の位置決めはフロント側、リア側ともに進退機構１７を基準としてなされ、また、感光体ドラム１２に対するＬＰＨ１４のＺ方向の位置決めはフロント側、リア側ともに感光体モジュールＰＭを基準としてなされる。これに対し、感光体ドラム１２に対するＬＰＨ１４のＹ方向の位置決めは、フロント側が感光体モジュールＰＭを基準として、リア側が画像形成装置１を基準として、それぞれなされる。
【００５３】
なお、画像形成装置１からの感光体モジュールＰＭおよび露光モジュールＥＭの取り外しは、上述した手順とは逆に行われる。すなわち、画像形成装置１に設けられた固定部材（図示せず）によるロックを外すことにより、まず、進退機構１７に設けられたレバー１７２を図９においてＣ方向に回転させる。次いで、画像形成装置１のリア側からフロント側に向けて感光体モジュールＰＭを引き抜く。その後、ネジ等を取り外した後、画像形成装置１のリア側からフロント側に向けて露光モジュールＥＭを引き抜く。
【００５４】
ところで、本実施の形態では、露光モジュールＥＭの進退機構１７に設けられたレバー１７２を手動で操作することにより、ＬＰＨ１４を退避位置あるいは露光位置へと移動させている。ただし、本実施の形態で用いた進退機構１７では、通常は、ＬＰＨ１４が退避位置と露光位置の間に存在する待機位置におかれるようになっている。なお、待機位置では、図８や図９等に示したように、レバー１７２が斜めになる。これは、例えば露光位置にセットされたＬＰＨ１４を退避位置へと退避させる際、レバー１７２を回転させるのに強い力が必要となるのを回避するためである。また、露光位置にセットされたＬＰＨ１４に対するＺ方向への押しつけを解除する際の衝撃が大きくなるのを回避するためでもある。
【００５５】
ここで、図１７は、露光位置、待機位置および退避位置におけるレバー１７２およびリンク機構１７３の状態を示す図である。ここで、図１７（ａ）は露光位置での状態を、図１７（ｂ）は待機位置での状態を、図１７（ｃ）は退避位置での状態を、それぞれ示している。ただし、図１７においては、フロントカム３０５Ｆおよびリアカム３０５Ｒの上方に取り付けられた昇降部材３０６の記載を省略している。
また、図１８は露光位置における露光モジュールＥＭの状態を、図１９は待機位置における露光モジュールＥＭの状態を、図２０は退避位置における露光モジュールＥＭの状態を、それぞれ説明するための図である。ここで、図１８は図１７（ａ）に、図１９は図１７（ｂ）に、図２０は図１７（ｃ）に、それぞれ対応している。ただし、図１８〜図２０は、露光モジュールＥＭのフロント側の拡大図である。
【００５６】
では最初に、図１７（ｂ）および図１９を参照しながら、待機位置における露光モジュールＥＭの状態について説明する。
リンク機構１７３において、第２リンク部材３０２と筐体１７１（図示せず）との間にはバネ３０３が取り付けられており、第２リンク部材３０２は、そのバネ力によってリア側に向けて引っ張られている。一方、フロントカム３０５Ｆと筐体１７１との間にはフロントバネ３０４Ｆが取り付けられており、フロントカム３０５Ｆの下方に設けられた突起３０５Ｆｂは、そのバネ力によって、筐体１７１に固定された軸３０５Ｆａを中心に図中時計回りに回転しフロント側に向けて引っ張られている。また、リアカム３０５Ｒと筐体１７１との間にはリアバネ３０４Ｒが取り付けられており、リアカム３０５Ｒの下方に設けられた突起３０５Ｒｂは、そのバネ力によって、筐体１７１に固定された軸３０５Ｒａを中心に図中時計回りに回転しフロント側に向けて引っ張られている。このため、フロントカム３０５Ｆに設けられた突起３０５Ｆｂは第２リンク部材３０２に設けられた第２フロント長穴３０２Ｆｂのフロント側に当たり、また、リアカム３０５Ｒに設けられた突起３０５Ｒｂは第２リンク部材３０２に設けられた第２リア長穴３０２Ｒｂのフロント側に当たり、それぞれ第２リンク部材３０２をフロント側に向けて引っ張っている。
【００５７】
そして、バネ３０３によるリア側への引っ張り力とフロントバネ３０４Ｆおよびリアバネ３０４Ｒによるフロント側への引っ張り力とが釣り合う位置で、第２リンク部材３０２が静止している。この状態において、第１リンク部材３０１を介して第２リンク部材３０２に接続されるレバー１７２は、露光位置における垂直状態（図１７（ａ）参照）と退避位置における水平状態（図１７（ｃ）参照）との間の傾斜状態に保持される。このとき、フロントカム３０５Ｆに設けられた軸３０５Ｆａは第２リンク部材３０２に設けられた第１フロント長穴３０２ＦａのＸ方向ほぼ中央部に位置し、また、リアカム３０５Ｒに設けられた軸３０５Ｒａは第２リンク部材３０２に設けられた第１リア長穴３０２ＲａのＸ方向ほぼ中央部に位置する。また、フロントカム３０５Ｆに設けられた取付穴３０５Ｆｃおよびリアカム３０５Ｒに設けられた取付穴３０５Ｒｃは、所定の位置で静止する。したがって、取付穴３０５Ｆｃ、３０５Ｒｃに取り付けられた昇降部材３０６も、所定の位置で静止する。
【００５８】
では次に、図１７（ａ）および図１８を参照しながら、露光位置における露光モジュールＥＭの状態について説明する。
待機位置から露光位置へとＬＰＨ１４を移動させる際、操作者は、レバー１７２をＣ方向に操作する。すると、レバー１７２は、軸１７２ａを中心にＣ方向に回転し、この回転に伴ってレバー１７２に設けられた軸１７２ｂもＣ方向に回転する。これに伴い、軸１７２ｂに取り付けられた第１リンク部材３０１がフロント側に引っ張られる。第１リンク部材３０１がフロント側に移動すると、軸３０１ａを介して第１リンク部材３０１に接続された第２リンク部材３０２が、バネ３０３のバネ力に抗してフロント側へと移動する。したがって、第２リンク部材３０２に設けられた第１フロント長穴３０２Ｆａ、第２フロント長穴３０２Ｆｂ、第１リア長穴３０２Ｒａ、第２リア長穴３０２Ｒｂも、フロント側に向けて移動する。
【００５９】
フロントカム３０５Ｆでは、第２リンク部材３０２に設けられた第２フロント長穴３０２Ｆｂがフロント側に移動することにより、突起３０５Ｆｂがフロントバネ３０４Ｆのバネ力によりフロント側へと移動し、その結果、フロントカム３０５Ｆは軸３０５Ｆａを中心に図中時計回りに回転する。ただし、本実施の形態では、第２リンク部材３０２がフロント側へと移動する途中でフロントバネ３０４Ｆが縮みきる。このため、露光位置にセットされた状態において、突起３０５Ｆｂは、第２リンク部材３０２の第２フロント長穴３０２Ｆｂのフロント側およびリア側の双方に接触しない状態で静止する。また、リアカム３０５Ｒでは、第２リンク部材３０２に設けられた第２リア長穴３０２Ｒｂがフロント側に移動することにより、突起３０５Ｒｂがリアバネ３０４Ｒのバネ力によりフロント側へと移動し、その結果、フロントカム３０５は軸３０５Ｒａを中心として図中時計回りに回転する。ただし、本実施の形態では、第２リンク部材３０２がフロント側へと移動する途中でリアバネ３０４Ｒが縮みきる。このため、露光位置にセットされた状態において、突起３０５Ｒｂは、第２リンク部材３０２の第２フロント長穴３０２Ｒｂのフロント側およびリア側の双方に接触しない状態で静止する。なお、第２リンク部材３０２のフロント側への移動に伴い、フロントカム３０５Ｆに設けられた軸３０５Ｆａの第１フロント長穴３０２Ｆａによる保持位置はリア側へと移動し、リアカム３０５Ｒに設けられた軸３０５Ｒａの第１リア長穴３０２Ｒａによる保持位置もリア側へと移動する。また、フロントカム３０５Ｆに設けられた取付穴３０５Ｆｃおよびリアカム３０５Ｒに設けられた取付穴３０５Ｒｃは、図１７（ｂ）や図１９に示す所定の位置よりもＺ方向に高い位置で静止する。したがって、取付穴３０５Ｆｃ、３０５Ｒｃに取り付けられた昇降部材３０６も、所定の位置よりもＺ方向に高い位置で静止する。このとき、ＬＰＨ１４に設けられた第１フロント位置決めピン６１１Ｆ（および第１リア位置決めピン６１１Ｒ）は昇降部材３０６に設けられた支持部１７３ｂによってＺ方向に押され、感光体モジュールＰＭ側に設けられたフロントＢＢ１２２Ｆ（およびリアＢＢ１２２Ｒ）に押し付けられることで、Ｚ方向の位置決めがなされる。このとき、フロントカム３０５Ｆおよびリアカム３０５Ｒには、第２リンク部材３０２が接触していないことから、これらにバネ３０３のバネ力は加わらない。したがって、フロントカム３０５Ｆにはフロントバネ３０４Ｆのバネ力のみが、リアカム３０５Ｒにはリアバネ３０４Ｒのバネ力のみが、それぞれ加わることになり、昇降部材３０６に取り付けられたＬＰＨ１４は、フロントバネ３０４Ｆおよびリアバネ３０４Ｒによるバネ力が加えられた状態で、Ｚ方向に持ち上げられ、位置決めがなされることになる。
【００６０】
本実施の形態では、上述したように、レバー１７２をＣ方向に回転させてＬＰＨ１４のＺ方向の位置決めを行った後、このレバー１７２を画像形成装置１側に設けられた固定部材（図示せず）にて固定している。筐体１７１に対しレバー１７２を水平に立たせた状態では、バネ３０３が第２リンク部材３０２をリア側に引っ張っているため、そのままでは固定することができない。そこで、本実施の形態では、このような固定部材を用いることで、レバー１７２の固定およびＬＰＨ１４のＺ方向の位置決めを行っている。
また、感光体モジュールＰＭや露光モジュールＥＭの取り外しを行う際、固定部材による固定が解除されるが、このとき、固定が解除されたレバー１７２はＤ方向に回転し、図１７（ｂ）等に示す待機位置まで移動して停止する。つまり、レバー１７２は、露光位置から退避位置まで一気に移動するのではなく、その途中の待機位置で停止することになる。これは、上述したように待機位置においてバネ３０３とフロントバネ３０４Ｆおよびリアバネ３０４Ｒとの引っ張り力が釣り合うためである。
【００６１】
今度は、図１７（ｃ）および図２０を参照しながら、退避位置における露光モジュールＥＭの状態について説明する。
待機位置から退避位置へとＬＰＨ１４を移動させる際、操作者は、レバー１７２をＤ方向に操作する。すると、レバー１７２は、軸１７２ａを中心にＤ方向に回転し、この回転に伴ってレバー１７２に設けられた軸１７２ｂもＤ方向に回転する。これに伴い、軸１７２ｂに取り付けられた第１リンク部材３０１がリア側へ押し出される。第１リンク部材３０１がリア側に移動すると、軸３０１ａを介して第１リンク部材３０１に接続された第２リンク部材３０２が、バネ３０３のバネ力によってリア側へと移動する。したがって、第２リンク部材３０２に設けられた第１フロント長穴３０２Ｆａ、第２フロント長穴３０２Ｆｂ、第１リア長穴３０２Ｒａ、第２リア長穴３０２Ｒｂも、リア側に向けて移動する。
【００６２】
フロントカム３０５Ｆでは、第２リンク部材３０２に設けられた第２フロント長穴３０２Ｆｂがリア側に移動することにより、突起３０５Ｆｂがフロントバネ３０４Ｆのバネ力に抗してリア側へと移動し、その結果、フロントカム３０５Ｆは軸３０５Ｆａを中心に図中反時計回りに回転する。また、リアカム３０５Ｒでは、第２リンク部材３０２に設けられた第２リア長穴３０２Ｒｂがリア側に移動することにより、突起３０５Ｒｂがリアバネ３０４Ｒのバネ力に抗してリア側へと移動し、その結果、リアカム３０５Ｒは軸３０５Ｒａを中心に図中反時計回りに回転する。このため、フロントカム３０５Ｆに設けられた突起３０５Ｆｂは第２リンク部材３０２に設けられた第２フロント長穴３０２Ｆｂのリア側に当たり、また、リアカム３０５Ｒに設けられた突起３０５Ｒｂは第２リンク部材３０２に設けられた第２リア長穴３０２Ｒｂのリア側に当たり、それぞれ第２リンク部材３０２をリア側に向けて押し出す。なお、第２リンク部材３０２のリア側への移動に伴い、フロントカム３０５Ｆに設けられた軸３０５Ｆａの第１フロント長穴３０２Ｆａによる保持位置はフロント側へと移動し、リアカム３０５Ｒに設けられた軸３０５Ｒａの第１リア長穴３０２Ｒａによる保持位置もリア側へと移動する。また、フロントカム３０５Ｆに設けられた取付穴３０５Ｆｃおよびリアカム３０５Ｒに設けられた取付穴３０５Ｒｃは、図１７（ｂ）や図１９に示す所定の位置よりもＺ方向に低い位置で静止する。したがって、取付穴３０５Ｆｃ、３０５Ｒｃに取り付けられた昇降部材３０６も、所定の位置よりもＺ方向に低い位置で静止する。このとき、ＬＰＨ１４に設けられた被保持部６６は昇降部材３０６に設けられた保持部１７３ａに引っかけられて−Ｚ方向に引っ張られることで、下方に設けられた筐体１７１側に引き込まれることになる。
【００６３】
ところで、本実施の形態では、ＬＰＨ１４のＬＥＤアレイ６３を構成する多数のＬＥＤに給電を行っているため、ＬＥＤ回路基板６２を接地する必要がある。このため、本実施の形態では、図示しない接地線を介してＬＥＤ回路基板６２と金属製のハウジング６１とを電気的に接続している。ここで、ハウジング６１には金属製の第１フロント位置決めピン６１１Ｆおよび第１リア位置決めピン６１１Ｒが取り付けられており、これら第１フロント位置決めピン６１１Ｆおよび第１リア位置決めピン６１１Ｒは露光モジュールＥＭを構成した際に進退機構１７に設けられた金属製の支持部１７３ｂ（昇降部材３０６）に接触配置される。さらに昇降部材３０６は軸を介して金属製の筐体１７１に接触しており、この筐体１７１は、固定用プレート１７６やリア保持部材１Ｒに設けられたアーム９３やネジ９５等を介して、接地対象である画像形成装置１のフロント側のフレームあるいはリア側のフレームに電気的に接続されている。
このように、本実施の形態では、ＬＰＨ１４の位置決めに用いるピン（第１フロント位置決めピン６１１Ｆ、第１リア位置決めピン６１１Ｒ）を利用してＬＥＤ回路基板６２の接地を行うことで、別部材を用いて接地を行う場合と比較して、装置構成が簡略化、小型化されている。
【図面の簡単な説明】
【００６４】
【図１】本実施の形態が適用される画像形成装置の全体構成の一例を示す図である。
【図２】ＬＰＨの構成を示した断面図である。
【図３】ＬＥＤ回路基板の平面図である。
【図４】ＬＥＤチップ、信号生成回路およびレベルシフト回路の回路構成を示す図である。
【図５】感光体モジュールおよび露光モジュールが画像形成装置に取り付けられた状態を示す斜視図である。
【図６】図５におけるフロント側の拡大図である。
【図７】図５におけるリア側の拡大図である。
【図８】感光体モジュールの構成を示す斜視図である。
【図９】露光モジュールの構成を示す斜視図である。
【図１０】露光モジュールにおけるＬＰＨの構成を示す斜視図である。
【図１１】露光モジュールにおける進退機構の構成を示す斜視図である。
【図１２】進退機構に設けられたフロント規制部材およびリア規制部材を説明するための図である。
【図１３】（ａ）は進退機構をＺ方向からみた上面図、（ｂ）は進退機構をＹ方向からみた側面図、（ｃ）は（ａ）のＡ−Ａ断面図である。
【図１４】進退機構におけるリンク機構の主要部を示す斜視図である。
【図１５】フロント位置決め部材の構成を示す斜視図である。
【図１６】リア保持部材の構成を示す斜視図である。
【図１７】（ａ）〜（ｃ）は露光位置、待機位置および退避位置におけるレバーおよびリンク機構の状態を説明するための図である。
【図１８】露光位置における露光モジュールの状態を説明するための図である。
【図１９】待機位置における露光モジュールの状態を説明するための図である。
【図２０】退避位置における露光モジュールの状態を説明するための図である。
【符号の説明】
【００６５】
１…画像形成装置、１Ｆ…フロントピン、１Ｒ…リア保持部材、１０…画像形成プロセス部、１１（１１Ｙ、１１Ｍ、１１Ｃ、１１Ｋ）…画像形成ユニット、１２…感光体ドラム、１３…帯電器、１４…ＬＥＤプリントヘッド（ＬＰＨ）、１５…現像器、１６…クリーナ、１７…進退機構、ＰＭ…感光体モジュール、ＥＭ…露光モジュール、１７３ａ…保持部、１７３ｂ…支持部、１７８Ｆ…フロント規制部材、６１１Ｆ…第１フロント位置決めピン、６１１Ｒ…第１リア位置決めピン、６１２Ｆ…第２フロント位置決めピン、６１２Ｒ…第２リア位置決めピン
【図１】
0005186891.tif 000002
【図２】
0005186891.tif 000003
【図３】
0005186891.tif 000004
【図４】
0005186891.tif 000005
【図５】
0005186891.tif 000006
【図６】
0005186891.tif 000007
【図７】
0005186891.tif 000008
【図８】
0005186891.tif 000009
【図９】
0005186891.tif 000010
【図１０】
0005186891.tif 000011
【図１１】
0005186891.tif 000012
【図１２】
0005186891.tif 000013
【図１３】
0005186891.tif 000014
【図１４】
0005186891.tif 000015
【図１５】
0005186891.tif 000016
【図１６】
0005186891.tif 000017
【図１７】
0005186891.tif 000018
【図１８】
0005186891.tif 000019
【図１９】
0005186891.tif 000020
【図２０】
0005186891.tif 000021